(57)【要約】【課題】モニターランプの位置ずれを防止できる照明器具を提供する。【解決手段】照明器具１０は、一般点灯させるための安定器１８と、非常点灯させるための非常灯ブロック１９と、非常点灯用の電池の充電状態を示すモニターランプ２０と、電池の充電状態を確認するための点検スイッチ２１とを収納する非常灯ボックス１６を有し、非常灯ボックス１６との取付部分にスリットを有し、モニターランプ２０と点検スイッチ２１とを保持するモニターランプ取付金具２２がスリットを介して非常灯ボックス１６に取付けられた。【選択図】図３
2011249090.tif 000002
【特許請求の範囲】
【請求項１】
一般点灯させるための安定器と、
非常点灯させるための非常灯ブロックと、
非常点灯用の電池の充電状態を示すモニターランプと、
前記電池の充電状態を確認するための点検スイッチとを収納する非常灯ボックスを有し、
前記非常灯ボックスとの取付部分にスリットを有し、前記モニターランプと前記点検スイッチとを保持するモニターランプ取付金具が前記スリットを介して前記非常灯ボックスに取付けられる照明器具。
【請求項２】
請求項１に記載の照明器具において、
前記モニターランプ取付金具は、前記スリットの前記非常灯ボックスとは反対側が折り曲げられている照明器具。
【請求項３】
請求項１または請求項２に記載の照明器具において、
前記点検スイッチは、そのリード線が、前記モニターランプ取付金具の前記スリットよりも前記非常灯ボックスの内側に配置されている照明器具。
【請求項４】
請求項１ないし請求項３のいずれか１項に記載の照明器具において、
前記モニターランプ取付金具は、前記非常灯ボックスに当接する当接板を前記スリットと同位置まで有する照明器具。
【発明の詳細な説明】
【技術分野】
【０００１】
本発明は、例えば住宅や工場等の天井施工面に直接取り付けられる照明器具に関し、特に非常点灯を行う照明器具に関する。
【背景技術】
【０００２】
従来より非常点灯用のバッテリーの放電電圧を検出するための点検スイッチと、点検スイッチの閉成によりバッテリーの電力により点灯するモニタランプ（充電モニタ）とを第１フレームカバーに覆われた側壁の外面に取り付けた照明器具が知られている（例えば、特許文献１参照）。
【先行技術文献】
【特許文献】
【０００３】
【特許文献１】特開平６−１６８６０７号公報（図１、段落番号００２９）
【発明の概要】
【発明が解決しようとする課題】
【０００４】
前述した特許文献１に記載された照明器具は、点検スイッチが閉成されることにより、停電等の非常時に蛍光灯を点灯させる電力がバッテリーに蓄えられているか否かを判別できる。
一方、このような従来の照明器具において、点検スイッチ取付金具を用いて点検スイッチとモニターランプとを非常灯ボックスに取り付けたものが提案されている。
図１７に示すように、このような従来の照明器具１００は、コ字形状に折り曲げられた点検スイッチ取付金具１０１の内側に点検スイッチ１０２とモニターランプ１０３とが収容されており、点検スイッチ取付金具１０１が、不図示の反射板上に取り付けられる非常灯ボックス１０４の側部の開口部１０５に下方から挿入され、その上板１０６が非常灯ボックス１０４にねじ止めされる。
しかし、このような従来の照明器具１００は、点検スイッチ取付金具１０１の下方部分が非常灯ボックス１０４の内方および外方に撓みやすい。そのため、モニターランプ１０３の位置と反射板に有するモニターランプ孔の位置とがずれやすく、モニターランプ１０３の位置が反射板のモニターランプ孔からずれているとモニターランプ１０３の確認がしにくい。
また、このような従来の照明器具１００は、点検スイッチ１０２に有する上板１０６を引張った場合に、その引張力により点検スイッチ取付金具１０１の下方部分が撓み、上記と同様に、モニターランプ１０３が反射板のモニターランプ孔から位置ずれし易い。
【０００５】
本発明は、前述した課題を解決するためになされたものであり、その目的は、モニターランプの位置ずれを防止できる照明器具を提供することにある。
【課題を解決するための手段】
【０００６】
本発明に係る照明器具は、一般点灯させるための安定器と、非常点灯させるための非常灯ブロックと、非常点灯用の電池の充電状態を示すモニターランプと、電池の充電状態を確認するための点検スイッチとを収納する非常灯ボックスを有し、非常灯ボックスとの取付部分にスリットを有し、モニターランプと点検スイッチとを保持するモニターランプ取付金具がスリットを介して非常灯ボックスに取付けられる。
【０００７】
本発明に係る照明器具は、モニターランプ取付金具は、スリットの非常灯ボックスとは反対側が折り曲げられている。
【０００８】
本発明に係る照明器具は、点検スイッチは、そのリード線が、モニターランプ取付金具のスリットよりも非常灯ボックスの内側に配置されている。
【０００９】
本発明に係る照明器具は、モニターランプ取付金具は、非常灯ボックスに当接する当接板をスリットと同位置まで有する。
【発明の効果】
【００１０】
本発明の照明器具によれば、モニターランプの位置ずれを防止できるという効果を奏する。
【図面の簡単な説明】
【００１１】
【図１】本発明に係る一実施形態の照明器具の斜め下方から視た外観斜視図
【図２】図１の照明器具の斜め上方から視た外観斜視図
【図３】図１の照明器具の分解斜視図
【図４】図１の照明器具の非常灯ボックスと器具本体との分解斜視図
【図５】図１の照明器具の非常灯ボックスの一部破断外観斜視図
【図６】図４の非常灯ボックスと器具本体との組付後の外観斜視図
【図７】図４の非常灯ボックスと器具本体との組付後の底面図
【図８】図１の照明器具の垂直断面図
【図９】図１の照明器具に適用されるモニターランプ取付金具の外観斜視図
【図１０】図９のモニターランプ取付金具のＡ方向から視た正面図
【図１１】図９のモニターランプ取付金具の平面図
【図１２】図９のモニターランプ取付金具の底面図
【図１３】図９のモニターランプ取付金具の左側面図
【図１４】図１の照明器具におけるモニターランプ取付金具の取付手順を説明する取付前の斜め上方から視た外観斜視図
【図１５】図１の照明器具におけるモニターランプ取付金具の取付手順を説明する取付後の斜め上方から視た外観斜視図
【図１６】図１５の照明器具の底面図
【図１７】従来の照明器具の外観図
【発明を実施するための形態】
【００１２】
以下、本発明の一実施形態に係る照明器具について図面を参照して説明する。
本発明の一実施形態である照明器具１０は、反射板１１と、反射板１１の内面に長手方向に配置される一対の直管型の蛍光ランプ１２と、反射板１１の長手方向に配置される器具本体１３と、器具本体１３に取付けられる一対の反射板アダプタ１４と、器具本体１３に取り付けられる二対のソケット１５と、非常灯ボックス１６と、非常灯ボックス１６に収容される電源端子台１７、安定器１８、非常灯ブロック１９、モニターランプ２０を装備する点検スイッチ２１と、点検スイッチ２１を非常灯ブロック１９に取り付けるためのモニターランプ取付金具２２とを備えて、不図示の天井施工面内に埋設されて設置される。
【００１３】
図１、図２、図３に示すように、反射板１１は、比較的薄い金属製板部材を用いて成形されている。反射板１１は、天板２３と、対向して配置された短寸の一対の端板２４と、同じく対向して配置された長寸の一対の側板２５とを有して下方が開放されている。天板２３は、端板２４側の両端部に二対のソケット挿入孔２６を有する。天板２３は、その側部に点検スイッチ２１に有するモニターランプ２０の確認用のモニターランプ孔２７と、点検スイッチ２１に有する操作用紐部材２８を挿通させるための紐挿通孔２９とを一体に有する。
【００１４】
器具本体１３は、反射板１１と同等の金属製板部材を用いて、天板３０と、対向配置された一対の側板３１と、から垂直断面視略コ字形状に形成されている。器具本体１３は、天板３０に電源端子台挿通孔３２を有し、側板３１の両端部寄りに非常灯ボックス取付用の二対のスリット孔３３を有する。器具本体１３は、その両端部にソケット支持部材３４がそれぞれ取り付けられており、ソケット支持部材３４のそれぞれにソケット１５が２個ずつ取り付けられている。ソケット１５はソケット支持部材３４の下方に向けて突出されている。反射板アダプタ１４は、金属製であって略コ字形状の外形を有して一対設けられており、反射板１１の天板２３と器具本体１３とに挟まれてネジ止めされる。
【００１５】
非常灯ボックス１６は、器具本体１３と同等の金属製板部材を用いて、天板３５と、対向して配置された短寸の一対の端板３６と、同じく対向して配置された長寸の一対の側板３７とを有して下方が開放されている。非常灯ボックス１６には、一方の側板３７に点検スイッチ取付部３８が形成されており、この点検スイッチ取付部３８にモニターランプ取付金具２２を介して点検スイッチ２１が取り付けられている。非常灯ボックス１６には、端板３６と側板３７との内側に電源端子台１７と、安定器１８と、非常灯ブロック１９ととが収容されている。
【００１６】
電源端子台１７は、非常灯ボックス１６の天板３５の裏面の中央部に取り付けられている。電源端子台１７には、天井施工面側から商用電源を供給する電源線が電気的に接続され、電源端子台１７から安定器１８までの間が不図示の器具電線により電気的に接続される。そして、安定器１８からは同じく不図示の器具電線がソケット１５までそれぞれ配策される。安定器１８は、非常灯ボックス１６の一方の側板３７の内面に取り付けられており、インバータ回路等を内蔵している。
【００１７】
非常灯ブロック１９は、非常灯ボックス１６の他方の側板３７の内面に取り付けられており、建築基準法に定められた避難誘導用の電源である。非常灯ブロック１９は、商用施設や工業施設、宿泊施設等に対して設置が義務付けられており、蓄電池（二次電池、バッテリー）により数十分から数時間程度点灯し続ける能力を有しているため、避難の際に、もし停電したとしても、脱出の目標として使用できるようになっている。非常灯ブロック１９は、併用型であり、停電時に、充電されている蓄電池により蛍光ランプ１２を非常点灯させる。そのため、非常灯ブロック１９は蓄電池を内蔵しており、蓄電池は、通常の通電時に充電され、停電時に自動的に切り替わって点灯を司る。
【００１８】
非常灯ブロック１９に有する蓄電池の寿命は、通常４年から６年程度のため定期的に交換する必要がある。そのため、非常灯ブロック１９の蓄電池は建築基準法により定期点検が義務付けられている。非常灯ブロック１９には点検スイッチ２１が取り付けられている。点検スイッチ２１は、操作用紐部材２８を床面側に吊り下げて装備しており、操作用紐部材２８が引張られることにより停電時と同じ状態となるために、正常に動作するか否かの点検が行われる。点検スイッチ２１に装備されるモニターランプ２０は、非常灯の動作状況や異常時の原因などを表示する。例えば、緑色のモニターランプ２０が点灯している場合は正常であり、赤色のモニターランプ２０が点灯、点滅または緑色のモニターランプ２０が点滅している場合には異常である。モニターランプ２０はモニターランプ孔２７を通じて床面側から目視される。
【００１９】
図４、図５、図６、図７に示すように、非常灯ボックス１６には、その端板３６の中央部に一対のネジ孔３９を有する器具本体固定用フランジ４０がそれぞれ切り起こされて形成されており、端板３６における器具本体固定用フランジ４０の切除部分に一対の対向する係止爪４１がそれぞれ内方に突出されている。取り付けにあたり、非常灯ボックス１６が器具本体１３の上方から器具本体１３に向けて進行される。すると、非常灯ボックス１６の端板３６の係止爪４１が器具本体１３の側板３１に外挿されていき、係止爪４１が器具本体１３の側板３１のスリット孔３３に嵌入される。これにより、非常灯ボックス１６が器具本体１３の所定の位置に位置決めされる。そして、その位置でネジ４２が器具本体１３の天板３０に有するネジ孔４３から器具本体固定用フランジ４０のネジ孔３９にネジ込まれることにより非常灯ボックス１６が器具本体１３に取り付けられる。
【００２０】
図８に示すように、非常灯ボックス１６が取り付けられた器具本体１３に反射板アダプタ１４を介して反射板１１が取り付けられる。このとき、非常灯ボックス１６が反射板１１の天板２３の中央部に下方を開放して配置されているために、反射板１１の一方の側板２５側から非常灯ボックス１６の内部を通じて反射板１１の他方の側板２５側に連通する空気流路４４が形成される。そして、この空気流路４４を通じて空気が流通するために非常灯ボックス１６に収容されている安定器１８等の発熱する電気部品を効率良く冷却できる。
【００２１】
次に、モニターランプ取付金具２２について詳細に説明する。
図９、図１０、図１１、図１２、図１３に示すように、モニターランプ取付金具２２は、器具本体１３と同等の金属製板部材を用いて、前板４５と、天板４６と、底板４７と、一対の当接板４８とを有する。
【００２２】
モニターランプ取付金具２２は、前板４５の上端縁において天板４６が後方にほぼ９０度折り曲げられて形成されており、前板４５の下端縁において底板４７が後方にほぼ９０度折り曲げられて形成されている。そして、前板４５の両側縁部において当接板４８が後方にほぼ９０度折り曲げられて形成されている。天板４６と底板４７とは平行に配置されており、天板４６と底板４７とには、前板４５から予め定められた距離Ｌ１の位置に二対のスリット４９が形成されている。当接板４８は、前板４５からスリット４９までの距離Ｌ１と同一の前板４５からの長さＬ１を有する。天板４６には、非常灯ボックス１６側にネジ止めするためのネジ孔５０を有する。底板４７には、モニターランプ２０の取付孔５１を有するとともに操作用紐部材２８を引き出すための紐部材引出部５２を有する。モニターランプ取付金具２２は、スリット４９を有する天板４６と底板４７の端縁に当接板４８が折り曲げて形成されているために、従来のもののように、単純に折り曲げたものと比べてはるかに高い強度を有する。
【００２３】
次に、モニターランプ取付金具２２を用いたモニターランプ２０の非常灯ボックス１６への取付手順について説明する。
図１４に示すように、非常灯ボックス１６の一方の側板３７に形成された点検スイッチ取付部３８は、下方が開放されていて、モニターランプ取付金具２２の前板４５よりもわずかに小さいコ字形状に形成されており、その左方側部に左方端縁部５３を有し、その右方側部に右方端縁部５４を有する。そして、モニターランプ取付金具２２の前板４５と天板４６と底板４７と一対の当接板４８とに囲まれた空間内に点検スイッチ２１が収容される。点検スイッチ２１は、モニターランプ取付金具２２の空間内に収容されることにより、底板４７の取付孔５１にモニターランプ２０が装着され、底板４７の紐部材引出部５２から操作用紐部材２８が下方へ引き出される。
【００２４】
次に、点検スイッチ２１が収容されたモニターランプ取付金具２２が非常灯ボックス１６の点検スイッチ取付部３８の下方側に配置され、非常灯ボックス１６の点検スイッチ取付部３８における左方端縁部５３と右方端縁部５４とにモニターランプ取付金具２２の天板４６と底板４７とのスリット４９をそれぞれ外挿させながら、モニターランプ取付金具２２が側板３７の下方から上方へ向けて移動される。
【００２５】
図１５に示すように、点検スイッチ２１を収容したモニターランプ取付金具２２が側板３７の下方から上方へ向けて移動されることにより、点検スイッチ取付部３８に有する上端縁部５５に天板４６が当接するまでスリット４９が非常灯ボックス１６の点検スイッチ取付部３８における左方端縁部５３と右方端縁部５４とにガイドされながらモニターランプ取付金具２２が移動される。そして、モニターランプ取付金具２２の天板４６のネジ孔５０を通じて不図示のネジが非常灯ボックス１６側にネジ止めされる。
【００２６】
図１６に示すように、点検スイッチ取付部３８に取り付けられたモニターランプ取付金具２２において、点検スイッチ２１から引き出されているリード線５６が前板４５から離れた非常灯ボックス１６の内部に配策される。そのため、リード線５６が非常灯ボックス１６からはみ出ないように隠れて配策される。モニターランプ取付金具２２は、二対のスリット４９が点検スイッチ取付部３８の左方端縁部５３と右方端縁部５４とにガイドされるとともに天板４６が非常灯ボックス１６側にネジ止めされる。これにより、モニターランプ取付金具２２は、二対のスリット４９による４点支持とネジ止めとにより、非常灯ボックス１６に強固に取り付けられるために、従来のもののように、非常灯ボックスの内部および外部に向けて撓むことがない。また、モニターランプ取付金具２２は、点検スイッチ取付部３８に取り付けられることにより、前板４５の両側縁部の当接板４８が非常灯ボックス１６の一方の側板３７に当接する。これにより、モニターランプ取付金具２２が非常灯ボックス１６にがたつきなく支持される。
【００２７】
照明器具１０は、点検スイッチ取付部３８に取り付けられたモニターランプ取付金具２２が取り付けられ、非常灯ボックス１６が器具本体１３に取り付けられ、器具本体１３が反射板アダプタ１４を介して反射板１１に取り付けられる。これにより、照明器具１０は、反射板１１の天板２３において、モニターランプ孔２７に点検スイッチ２１のモニターランプ２０が位置ずれなく配置され、紐挿通孔２９に点検スイッチ２１の操作用紐部材２８が位置ずれなく挿通されることになる。
【００２８】
従って、この一実施形態の照明器具１０においては、モニターランプ取付金具２２が、二対のスリット４９を点検スイッチ取付部３８の左方端縁部５３と右方端縁部５４とにガイドさせて非常灯ボックス１６に取り付けられる。
これにより、この一実施形態の照明器具１０においては、モニターランプ取付金具２２により点検スイッチ２１が非常灯ボックス１６に強固に取り付けられるために、従来のもののように、非常灯ボックスの内部および外部に向けて撓んで位置ずれすることがないので、モニターランプ２０の位置ずれを防止できる。
【００２９】
また、この一実施形態の照明器具１０においては、モニターランプ取付金具２２が、スリット４９を有する天板４６と底板４７の端縁に当接板４８を折り曲げて形成している。
これにより、この一実施形態の照明器具１０においては、モニターランプ取付金具２２が、従来のもののように、単純に折り曲げたものと比べてはるかに高い強度を有する。
【００３０】
また、この一実施形態の照明器具１０においては、点検スイッチ取付部３８に取り付けられたモニターランプ取付金具２２が、点検スイッチ２１から引き出されているリード線５６を前板４５から離れた非常灯ボックス１６の内部に配策する。
これにより、この一実施形態の照明器具１０においては、リード線５６を非常灯ボックス１６からはみ出ないように隠してスマートに配策できる。
【００３１】
また、この一実施形態の照明器具１０においては、モニターランプ取付金具２２が、前板４５の側縁部の当接板４８をスリット４９と同位置に有するために、当接板４８が非常灯ボックス１６の一方の側板３７に当接される。
これにより、この一実施形態の照明器具１０においては、モニターランプ取付金具２２が非常灯ボックス１６にがたつきなく支持される。
【００３２】
なお、一実施形態で使用した反射板１１、蛍光ランプ１２、器具本体１３、反射板アダプタ１４、ソケット１５等は例示したものに限定するものではなく適宜変更が可能である。
【符号の説明】
【００３３】
１０  照明器具
１６  非常灯ボックス
１８  安定器
１９  非常灯ブロック
２０  モニターランプ
２１  点検スイッチ
２２  モニターランプ取付金具
４８  当接板
４９  スリット
５６  リード線
【図１】
2011249090.tif 000003
【図２】
2011249090.tif 000004
【図３】
2011249090.tif 000005
【図４】
2011249090.tif 000006
【図５】
2011249090.tif 000007
【図６】
2011249090.tif 000008
【図７】
2011249090.tif 000009
【図８】
2011249090.tif 000010
【図９】
2011249090.tif 000011
【図１０】
2011249090.tif 000012
【図１１】
2011249090.tif 000013
【図１２】
2011249090.tif 000014
【図１３】
2011249090.tif 000015
【図１４】
2011249090.tif 000016
【図１５】
2011249090.tif 000017
【図１６】
2011249090.tif 000018
【図１７】
2011249090.tif 000019